(57)【要約】【課題】通気性を十分に確保しつつ顔面への密着性を向上することが可能なフィッター及びマスクを提供する。【解決手段】フィッター２１は、基布２２と基布２２上に立設された複数のパイル２３からなるパイル部２４とを備えたベロア材によって構成され、基布２２部分をマスクの上端縁部に取り付けることで、マスクを顔面に密着させるようになっている。そして、パイル部２４における顔面の鼻部と対応する位置には該鼻部と対応する凹部２４ａが形成されている【選択図】図３
2010142366.tif 000002
【特許請求の範囲】
【請求項１】
基材と該基材上に立設された複数のパイルからなるパイル部とを有するベロア材によって構成され、前記基材部分をマスクの周縁部に取り付けて該マスクを顔面に密着させるためのフィッターであって、
前記パイル部は、前記顔面における該パイル部が接触する部分と対応した凹凸形状をなすように各パイルの長さが設定されていることを特徴とするフィッター。
【請求項２】
前記ベロア材は前記マスクの上端縁部に沿って延びるように取り付けられ、前記パイル部における前記顔面の鼻部と対応する位置には該鼻部と対応する凹部が形成されていることを特徴とする請求項１に記載のフィッター。
【請求項３】
前記パイル部における凹部を挟んだ両側の部分を構成する各パイルの長さは、該部分の中央部が最も長くなっているとともに該中央部から離れるに連れて徐々に短くなっていることを特徴とする請求項２に記載のフィッター。
【請求項４】
前記マスクに対して着脱自在に構成されていることを特徴とする請求項１〜請求項３のうちいずれか一項に記載のフィッター。
【請求項５】
前記各パイルは、前記ベロア材の長手方向に沿って並列に延びる複数のパイル列を形成するように配置されていることを特徴とする請求項２〜請求項４のうちいずれか一項に記載のフィッター。
【請求項６】
前記各パイルは、前記ベロア材の長手方向に沿って千鳥状に配置されていることを特徴とする請求項５に記載のフィッター。
【請求項７】
請求項１〜請求項６のうちいずれか一項に記載のフィッターが取り付けられたことを特徴とするマスク。
【発明の詳細な説明】
【技術分野】
【０００１】
本発明は、例えば花粉や塵埃などの異物を遮断するためのマスクに取り付けられるフィッター及び該フィッターが取り付けられたマスクに関する。
【背景技術】
【０００２】
近年、立体型のマスクの発達によって顔面に対するマスクの密着性は高まってきているが、特に鼻や鼻の周辺部分に関してはその形状に個人差があるため、十分にマスクの密着性は高められていない。このため、従来は、こうした顔面に対する密着性を高めるべく特許文献１や特許文献２に記載のマスクが提案されている。
【０００３】
特許文献１に記載のマスクは、上部に左右一対の折り返し片を立ち上がるように設けて鼻や鼻の両側部分との密着性を高めるようにしている。一方、特許文献２に記載のマスクは、マスク全体に植毛することで、マスクと顔面との間の隙間を埋めるようにしている。
【特許文献１】特開２００３−２２５３１６号公報
【特許文献２】特開２００７−５４２７０号公報
【発明の開示】
【発明が解決しようとする課題】
【０００４】
ところで、特許文献１のマスクは、折り返し片がマスク本体を構成する不織布シートの一部によって構成されているため、通気性が十分に確保されず、息苦しくなるおそれがあるという問題があった。また、特許文献２に記載のマスクは、植毛された毛の長さが顔面の凹凸を考慮して設定されておらず全て一定であるため、通気性は確保されるものの、顔面（特に鼻や鼻の周辺部分）に対する密着性が十分に確保されないという問題があった。
【０００５】
この発明は、このような従来技術に存在する問題点に着目してなされたものである。その目的とするところは、通気性を十分に確保しつつ顔面への密着性を向上することが可能なフィッター及びマスクを提供することにある。
【課題を解決するための手段】
【０００６】
上記の目的を達成するために、請求項１に記載の発明は、基材と該基材上に立設された複数のパイルからなるパイル部とを有するベロア材によって構成され、前記基材部分をマスクの周縁部に取り付けて該マスクを顔面に密着させるためのフィッターであって、前記パイル部は、前記顔面における該パイル部が接触する部分と対応した凹凸形状をなすように各パイルの長さが設定されていることを要旨とする。
【０００７】
上記構成によれば、通気性を十分に確保しつつ顔面へのマスクの密着性を向上することが可能となる。
請求項２に記載の発明は、請求項１に記載の発明において、前記ベロア材は前記マスクの上端縁部に沿って延びるように取り付けられ、前記パイル部における前記顔面の鼻部と対応する位置には該鼻部と対応する凹部が形成されていることを要旨とする。
【０００８】
上記構成によれば、特に密着性の悪い鼻部とマスクとの密着性を向上することが可能となる。
請求項３に記載の発明は、請求項２に記載の発明において、前記パイル部における凹部を挟んだ両側の部分を構成する各パイルの長さは、該部分の中央部が最も長くなっているとともに該中央部から離れるに連れて徐々に短くなっていることを要旨とする。
【０００９】
上記構成によれば、頬の部分とマスクとの密着性を向上することができるとともに、パイル部の長手方向の両端部とマスクにおけるパイル部の存在しない部分との段差を小さくすることが可能となる。
【００１０】
請求項４に記載の発明は、請求項１〜請求項３のうちいずれか一項に記載の発明において、前記マスクに対して着脱自在に構成されていることを要旨とする。
上記構成によれば、フィッターの交換やフィッターの他のマスクへの付け替えを容易に行うことが可能となる。
【００１１】
請求項５に記載の発明は、請求項２〜請求項４のうちいずれか一項に記載の発明において、前記各パイルは、前記ベロア材の長手方向に沿って並列に延びる複数のパイル列を形成するように配置されていることを要旨とする。
【００１２】
上記構成によれば、花粉や塵埃などの異物の遮断性を向上することが可能となる。
請求項６に記載の発明は、請求項５に記載の発明において、前記各パイルは、前記ベロア材の長手方向に沿って千鳥状に配置されていることを要旨とする。
【００１３】
上記構成によれば、花粉や塵埃などの異物の遮断性をより一層向上することが可能となる。
請求項７に記載の発明は、請求項１〜請求項６のうちいずれか一項に記載のフィッターが取り付けられたことを要旨とする。
【００１４】
上記構成によれば、請求項１〜請求項６に記載のフィッターと同様の効果を得ることが可能となる。
【発明の効果】
【００１５】
本発明によれば、通気性を十分に確保しつつ顔面への密着性を向上することが可能なフィッター及びマスクを提供することができる。
【発明を実施するための最良の形態】
【００１６】
以下、本発明のマスクの一実施形態を、図面に基づいて説明する。
図１に示すように、マスク１１は、不織布によって矩形板状に形成された本体部１２と、該本体部１２の左右両端縁部にそれぞれ設けられた環状の耳紐１３とを備えている。耳紐１３は、弾性変形可能な材質によって構成されており、伸び縮み自在になっている。そして、マスク１１は、図６に示すように、本体部１２を鼻部１５、口部１６、及びこれらの周辺を覆うようにして顔面１４にあてがいながら両耳紐１３を両耳１７にそれぞれ引っ掛けることで顔面１４に装着される。
【００１７】
図１、図２、及び図６に示すように、マスク１１の本体部１２における顔面１４にあてがう側の面は装着面１２ａとされ、該装着面１２ａにおける上端縁部には該上端縁部全体にわたって左右方向に延びるポケット部１８が設けられている。ポケット部１８は布を２つに折り曲げてなる上下一対の支持部１８ａを備えている。両支持部１８ａは折り曲げたコーナー部分がマスク１１の本体部１２に対して縫着されており、両支持部１８ａと装着面１２ａとで囲まれた領域は収納室１９とされている。両支持部１８ａの互いに対向する先端部間には隙間２０が形成されており、収納室１９の左右両端は開口している。したがって、収納室１９は、その左右両端の開口及び隙間２０を介して外部と連通している。
【００１８】
収納室１９内にはベロア材によって構成されたフィッター２１がマスク１１に対して着脱可能に支持されている。フィッター２１は、マスク１１を顔面１４に装着した際にマスク１１と顔面１４との間の隙間を埋めてマスク１１の顔面１４に対する密着性を高めるためのものである。
【００１９】
次に、フィッター２１の構成について詳述する。
図３及び図４に示すように、フィッター２１は、細長い平面視矩形状をなす基材としての基布２２と、該基布２２に複数のパイル２３を略Ｕ字状をなすように織り込んで該基布２２上に立設された複数のパイル２３からなるパイル部２４とを備えている。基布２２の裏面には合成樹脂製のコーティング剤によって構成されたコーティング層２５が設けられており、該コーティング層２５により各パイル２３の根元と基布２２とが強固に接合されている。
【００２０】
基布２２には、耐久性、柔軟性が高い材料よりなる織布が使用される。このような材料としては、ポリエステル、ポリプロピレン、アクリル樹脂、ポリアミド及びウレタン樹脂等が挙げられる。本実施形態の基布２２には、ポリエステル製の繊維よりなるタテ糸２２ａ及びヨコ糸２２ｂを織りなすことによって構成された織布が使用されている。
【００２１】
図４及び図５に示すように、基布２２上の各パイル２３は基布２２の長手方向に沿って並列に延びる複数（本実施形態では３列）のパイル列を形成しており、各パイル列は互いに平行になっている。この場合、各パイル列を構成する各パイル２３は、基布２２の長手方向に沿って千鳥状に配置されている。また、図３及び図６に示すように、パイル部２４における長手方向の中央部（鼻部１５と対応する位置）には、一般的な成人の鼻部１５の形状と対応する凹部２４ａが形成されている。凹部２４ａはパイル部２４を鼻部１５の形状に合わせて短くカットすることによって形成され、凹部２４ａのサイズは使用者の鼻部１５のサイズに応じて例えばＳサイズ、Ｍサイズ、Ｌサイズなどのような複数のサイズに適宜設定される。
【００２２】
本実施形態において、各パイル２３を構成する繊維には、ポリエステルに抗アレルゲン加工剤（積水化学工業製、商品名；アレルバスター（Ｒ））を付加したものが用いられているが、綿や羊毛などの天然素材の繊維やアクリルなどの化学繊維に抗アレルゲン加工剤を付加したものを用いてもよい。各パイル２３を構成する繊維にこうした抗アレルゲン加工剤を付加したものを用いることで、花粉、ダニの糞や死骸などのアレルゲンの働きが抑制される。
【００２３】
コーティング層２５を形成するコーティング剤としては、スチレン−ブタジエン共重合ゴム等のゴム系溶剤型接着剤、又はエチレン−アクリル酸エステル共重合体、エチレン−酢酸ビニル共重合体、ポリメタクリル酸メチル等の接着性樹脂が用いられる。これらのコーティング剤は、基布２２を形成するタテ糸２２ａ及びヨコ糸２２ｂ同士の間に合浸され、各糸２２ａ，２２ｂ及び各パイル２３の根元を強固に保持するとともに、各糸２２ａ，２２ｂのほつれを抑制している。
【００２４】
そして、図１及び図２に示すように、マスク１１の収納室１９の左右両端の開口のうちのいずれか一方から基布２２を収納室１９内にスライドさせて挿入するとともに、パイル部２４を隙間２０に挿通することで、マスク１１にフィッター２１が装着される。フィッター２１をマスク１１に装着した状態では、該フィッター２１のパイル部２４は隙間２０から外部へ突出するようになっている。フィッター２１をマスク１１から取り外す場合には、収納室１９の左右両端の開口のうちのいずれか一方からフィッター２１をスライドさせて引き抜けばよい。
【００２５】
次に、フィッター２１の作用について説明する。
さて、フィッター２１を装着したマスク１１を顔面１４に装着すると、マスク１１の装着面１２ａにおける上端縁部と顔面１４との間にパイル部２４が介在するようになるため、該パイル部２４により装着面１２ａにおける上端縁部と顔面１４との間の隙間が好適に埋められる。この場合、マスク１１との間で特に隙間のできやすい鼻部１５にはパイル部２４の凹部２４ａがフィットするため、鼻部１５とマスク１１との隙間が該パイル部２４によって効果的に埋められる。
【００２６】
また、パイル部２４を構成する各パイル２３は、弾力性に富んでいるため、対応する顔面１４の凹凸形状に対して柔軟に追従して弾性変形する。このため、フィッター２１によりマスク１１の装着面１２ａにおける上端縁部と顔面１４（主に鼻部１５及び頬の部分）との密着性が高められる。この結果、マスク１１の装着面１２ａにおける上端縁部と顔面１４との間から花粉や塵埃などの異物が進入することが効果的に抑制される。さらに、各パイル２３を構成する繊維同士の間には微小な隙間が存在するので、これらの隙間によりマスク１１の装着面１２ａにおける上端縁部と顔面１４との間の通気性は十分に確保される。
【００２７】
そして、マスク１１が汚れたり破れたりして該マスク１１を新しいものに交換する場合には、古いマスク１１からフィッター２１を取り外し、この取り外したフィッター２１を新しいマスク１１に装着すればよい。一方、フィッター２１が汚れた場合には、マスク１１から取り外して清掃や洗浄を行えばよい。
【００２８】
以上詳述した実施形態によれば次のような効果が発揮される。
（１）フィッター２１のパイル部２４における顔面１４の鼻部１５と対応する位置には該鼻部１５と対応する凹部２４ａが形成されているため、特に密着性の悪い鼻部１５とマスク１１の装着面１２ａにおける上端縁部との密着性を向上することができる。加えて、顔面１４と接触する各パイル２３を構成する繊維同士の間には微小な隙間が存在するので、これらの隙間によりマスク１１の装着面１２ａにおける上端縁部と顔面１４との間の通気性を十分に確保することができる。よって、通気性を十分に確保しつつ顔面１４へのマスク１１の装着面１２ａにおける上端縁部の密着性を向上することができる。
【００２９】
（２）フィッター２１は、マスク１１に対して着脱自在に構成されているため、該フィッター２１の清掃や交換、あるいはフィッターの他のマスク１１への付け替えを容易に行うことができる。このため、フィッター２１を繰り返し使用することができるので、経済的であり、且つ環境にやさしい。
【００３０】
（３）フィッター２１の各パイル２３は、基布２２の長手方向に沿って、並列に延びる３列のパイル列を形成するように配置されるとともに、千鳥状に配置されているため、花粉や塵埃などの異物の遮断性を効果的に向上することができる。
【００３１】
（４）フィッター２１の各パイル２３を構成する繊維には、ポリエステルに抗アレルゲン加工剤を付加したものが用いられているため、花粉、ダニの糞や死骸などのアレルゲンの働きを抑制することができる。
【００３２】
（５）マスク１１には左右両端に開口を有する収納室１９（ポケット部１８）が設けられているため、該開口からフィッター２１をスライド挿入したり引き抜いたりするだけでマスク１１に対してフィッター２１を容易に着脱することができる。
【００３３】
（変更例）
なお、上記実施形態は、次のように変更して具体化することも可能である。
・図７に示すように、マスク１１の装着面１２ａにおける上端縁部に、ポケット部１８の代わりに、両面粘着テープ４０の着脱が容易なポリエチレン製のフィルム４１を貼り付けてもよい。このようにすれば、図８に示すように、フィッター２１のコーティング層２５とフィルム４１とを両面粘着テープ４０によって着脱自在に接合することができる。この場合、コーティング層２５は省略してもよい。
【００３４】
・また、上記フィルム４１を、変形後の形状を保持可能な形状保持シート（例えば、積水成型工業製、商品名；フォルテ（Ｒ））に変更してもよい。このようにすれば、マスク１１を顔面１４に装着した際に、形状保持シートが顔面１４の形状に合わせて変形するとともにその変形後の形状を保持するため、形状保持シートを顔面１４に対して好適にフィットさせることができる。
【００３５】
・フィッター２１をマスク１１の装着面１２ａにおける上端縁部に、面ファスナによって着脱自在に装着するようにしてもよい。
・フィッター２１において、コーティング層２５を省略するとともに、基布２２の裏面に硬質の合成樹脂を熱溶着するようにしてもよい。
【００３６】
・図９に示すように、パイル部２４における凹部２４ａを挟んだ両側の部分Ａを構成する各パイル２３の長さを、該部分Ａの中央部が最も長くなるとともに該中央部から離れるに連れて徐々に短くなるように設定してもよい。このようにすれば、顔面１４の頬の部分とマスク１１の装着面１２ａにおける上端縁部との密着性を向上することができるとともに、パイル部２４の長手方向の両端部とマスク１１におけるパイル部２４の存在しない左右両端縁部との段差を小さくすることができる。すなわち、パイル部２４を顔面１４の頬の部分の凹凸形状に対して好適にフィットさせることができるとともに、マスク１１における左右両端縁部と顔面１４との間の隙間を小さくすることができる。
【００３７】
・図１０に示すように、立体マスク４２における顔面１４への装着面の上端縁部にフィッター２１を着脱自在に装着するようにしてもよい。立体マスク４２は、通常、平面状に折り畳まれた状態で販売されており、使用する際には開かれて立体化される。このため、立体マスク４２は、顔面１４へ装着した状態では上端縁部が屈曲した状態になるため、この屈曲した立体マスク４２の上端縁部に合わせてフィッター２１も屈曲される。したがって、立体マスク４２に装着するためのフィッター２１は、屈曲状態で鼻部１５の形状と対応するようにする必要があるため、図１１に示すように、パイル部２４の凹部２４ａの形状がなだらかなＶ字状になるように各パイル２３の長さを設定する必要がある。
【００３８】
・図１２に示すように、ポケット部１８を、断面視略Ｃ字状をなすように成形した合成樹脂によって構成し、マスク１１の本体部１２に対して両面粘着テープ４０によって貼着するようにしてもよい。この場合、ポケット部１８は、マスク１１の本体部１２に対して接着剤によって接着するようにしてもよい。
【００３９】
・ポケット部１８を構成する支持部１８ａは、可撓性フィルムなどによって構成してもよい。
・両支持部１８ａはマスク１１の本体部１２に対して両面粘着テープや接着剤によって取着するようにしてもよい。
【００４０】
・フィッター２１のパイル部２４を構成するパイル列（各パイル２３）は、２列や１列であってもよいし、４列以上にしてもよい。この場合、パイル列の数が増えると、花粉や塵埃などの異物の遮断性は向上する一方、通気性は低下する。また、パイル列の数が減ると、通気性は向上する一方、花粉や塵埃などの異物の遮断性は低下する。このため、こうした通気性と花粉や塵埃などの異物の遮断性とのバランスを考慮し、パイル列の数に応じて各パイル２３の密度や各パイル２３を構成する繊維の太さを調整する必要がある。なお、各パイル２３は、直接顔面１４の肌に接触するため、できるだけ柔らかくて細い繊維で構成することが望ましい。
【００４１】
・各パイル２３を構成する繊維に導電性繊維（例えば、日本蚕毛染色株式会社製、商品名；サンダーロン（Ｒ））を混ぜ合わせてもよいし、あるいは各パイル２３を構成する繊維を全て導電性繊維にしてもよい。このようにすれば、各パイル２３に静電気がたまり難くなるので、各パイル２３に花粉や塵埃などの異物が付着することを抑制することができる。
【００４２】
・各パイル２３を構成する繊維を高性能耐久制電素材（例えば、帝人ファイバー株式会社製の商品名；ビーウェル（Ｒ））によって構成してもよい。このようにすれば、各パイル２３に花粉や塵埃などの異物が付着することを抑制することができる。
【００４３】
・各パイル２３を構成する繊維をアレル物質抑制加工繊維素材（例えば、東レ製の商品名；アレルクラッシュ（Ｒ））によって構成してもよい。
・各パイル２３を構成する繊維に、トルマリン含有繊維を混ぜるようにしてもよい。このようにすれば、ストレス軽減効果やリラックス効果などの様々なマイナスイオン効果を期待できる。
【００４４】
・各パイル２３は、必ずしも基布２２の長手方向に沿って千鳥状に配置する必要はない。
・フィッター２１は、マスク１１に固定するようにしてもよい。
【００４５】
・フィッター２１は、マスク１１の装着面１２ａにおける左右両端縁部や下端縁部に装着するようにしてもよい。この場合、フィッター２１のパイル部２４の形状は、対応する顔面１４の凹凸形状に合わせる必要がある。
【００４６】
・基布２２の代わりに硬質の合成樹脂板を基材として用いてもよい。この場合、各パイル２３は合成樹脂板上に植毛される。
【図面の簡単な説明】
【００４７】
【図１】実施形態におけるマスクの正面図。
【図２】図１の２−２線矢視断面図。
【図３】実施形態におけるフィッターの正面図。
【図４】図３の４−４線矢視断面図。
【図５】実施形態において、基布上の各パイルの配置状態を示す平面簡略図。
【図６】実施形態において、顔面へのマスクの装着状態を示す側面図。
【図７】変更例におけるマスクの正面図。
【図８】変更例におけるマスクにフィッターが装着された状態を示す要部拡大断面図。
【図９】変更例におけるフィッターの正面図。
【図１０】変更例におけるフィッターが装着された立体マスクを装着面側から見たときの状態を示す斜視図。
【図１１】変更例におけるフィッターの正面図。
【図１２】変更例におけるマスクの要部拡大断面図。
【符号の説明】
【００４８】
１１…マスク、１４…顔面、１５…鼻部、２１…ベロア材によって構成されたフィッター、２２…基材としての基布、２３…パイル、２４…パイル部、２４ａ…凹部。
【図１】
2010142366.tif 000003
【図２】
2010142366.tif 000004
【図３】
2010142366.tif 000005
【図４】
2010142366.tif 000006
【図５】
2010142366.tif 000007
【図６】
2010142366.tif 000008
【図７】
2010142366.tif 000009
【図８】
2010142366.tif 000010
【図９】
2010142366.tif 000011
【図１０】
2010142366.tif 000012
【図１１】
2010142366.tif 000013
【図１２】
2010142366.tif 000014